(57)【要約】【課題】フード掛け部を有しながらも、通常のハンガーとしての取り扱いが容易であり、かつ、フード掛け部を使用可能な状態にするための操作が簡単な機構を持つハンガーを提供すること。【解決手段】フード掛け付きハンガーは、本体に沿う形状のフード掛け部を有し、フード掛け部は上下に移動可能であり、ハンガー本体を壁面等に吊るすためのフックと連動しており、フックを本体より上部に移動させることにより、ハンガー本体とフックとの間にフードを掛けることのできる空間を得るとともに、フード掛け部に衣類のフードを掛けることができるようになる。加えて、フックを下部に移動させることにより、フード掛け部も下部に移動し、ハンガー本体に沿い、収納され、通常形状のハンガーに近似した形状となるため、フード掛け部を使用しない状態でも取り扱いが容易となる。【選択図】図３
2017164438.tif 000002
【特許請求の範囲】
【請求項１】
ハンガー本体部と、
前記ハンガー本体部を被係止体に係止させる係止部と、
フード付きの衣類の前記フードを掛けるフード掛け部と
を備え、
前記係止部と前記フード掛け部とは連結部材で連結され、
前記係止部は前記ハンガー本体部に対して取付機構で上下方向に移動可能に取り付けられ、
前記係止部は、フック部と脚部とを備え、
前記フック部を上方に移動させると前記脚部が前記ハンガー本体部の上方に引き出され、併せて前記連結部材で連結されている前記フード掛け部も前記ハンガー本体部の上方に引き出され、前記フードを掛けることが可能となり、
前記フック部を下方に移動させると前記脚部が前記ハンガー本体部の下方に収まり、併せて前記連結部材で連結されている前記フード掛け部も前記ハンガー本体部の下方に収まるハンガー。
【請求項２】
前記係止部と前記フード掛け部とが前記ハンガー本体部の上方に引き出された状態において、前記フード掛け部は、前記係止部に対して傾斜して位置する請求項１記載のハンガー。
【請求項３】
前記取付機構は、前記ハンガー本体部に設けられた前記係止部をとおす平面視で凹部を有する穴部と、前記穴部にとおされる前記係止部に対して上下動しないように覆う回転可能な筒状体であって外面上端部には外側に凸状の第一のストッパー部が設けられ、かつ、外面下端部には外側に凸状の第二のストッパー部が設けられる筒状体とからなり、
前記第一のストッパー部は、前記凹部を通過可能であり、かつ、前記筒状体の回転により前記凹部と対応しない位置では、前記係止部と前記フード掛け部との前記ハンガー本体部の下方に収まる位置から上方への移動を規制し、
前記第二のストッパー部は、前記凹部を通過可能であり、かつ、前記筒状体の回転により前記凹部と対応しない位置では、前記係止部と前記フード掛け部との前記ハンガー本体部の上方に引き出された位置から下方への移動を規制する請求項１又は請求項２に記載のハンガー。
【発明の詳細な説明】
【技術分野】
【０００１】  本発明は、通常のハンガーとしても使用可能でありながら、フード付きの衣類のフードを掛けるための機構を有するハンガーに関する。
【背景技術】
【０００２】  通常のハンガーでは、フード付きの衣類を洗濯等して乾燥する場合に、吊るした状態で衣類の背中とフードが重なり合ってしまうため、乾燥しにくいという悩みがあった。
一方で、従来のフード付きの衣類向けのハンガーは、フード掛け部を有しているが、フードを掛けるために特化した形状をしており、フードが無い衣類には不向きであった。【０００３】  そこで、関連技術として、フードが無い衣類とフード付きの衣類とで、フードを掛けるための機構の有無を切り替えることができるハンガーが開示されている（特許文献１参照）。
【先行技術文献】
【特許文献】
【０００４】
【特許文献１】特開２０１０−１７８８１１号公報
【発明の概要】
【発明が解決しようとする課題】
【０００５】  しかしながら、上記の関連技術は、物干し竿等にかけるためのフック部から衣類を吊るすハンガー本体部までの脚部が長いため、取り扱いが面倒であり、また、フードを掛けるための機構は、左右のスライダーが独立しており、その両方を起立させて使用するための手間がかかるという問題点があった。【０００６】  本発明の目的は、フード掛け部を有しながらも、通常のハンガーとしての取り扱いが容易であり、かつ、フード掛け部を使用可能な状態にするための操作が簡単なハンガーを提供することにある。
【課題を解決するための手段】
【０００７】  本発明のハンガーは、ハンガー本体部と、前記ハンガー本体部を被係止体に係止させる係止部と、フード付きの衣類の前記フードを掛けるフード掛け部とを備え、前記係止部と前記フード掛け部とは連結部材で連結され、前記係止部は前記ハンガー本体部に対して取付機構で上下方向に移動可能に取り付けられ、前記係止部は、係止部と脚部とを備え、前記係止部を上方に移動させると前記脚部が前記ハンガー本体部の上方に引き出され、併せて前記連結部材で連結されている前記フード掛け部も前記ハンガー本体部の上方に引き出され、前記フードを掛けることが可能となり、前記係止部を下方に移動させると前記脚部が前記ハンガー本体部の下方に収まり、併せて前記連結部材で連結されている前記フード掛け部も前記ハンガー本体部の下方に収まる。
このように構成することにより、本体に沿う形状のフード掛け部を有し、フード掛け部は上下に移動可能であり、ハンガー本体を壁面等に吊るすためのフックと連動しており、フックを本体より上部に移動させることにより、ハンガー本体とフックとの間にフードを掛けることのできる空間を得るとともに、フード掛け部に衣類のフードを掛けることができるようになる。加えて、フックを下部に移動させることにより、フード掛け部も下部に移動し、ハンガー本体に沿い、収納され、通常形状のハンガーに近似した形状となるため、フード掛け部を使用しない状態でも取り扱いが容易となる。【０００８】  また、前記係止部と前記フード掛け部とが前記ハンガー本体部の上方に引き出された状態において、前記フード掛け部は、前記係止部に対して傾斜して位置することであってもよい。
このように構成することにより、さらに簡単にフード掛け部に衣類のフードを掛けることができ、また、衣類の背中とフードとの空間を確保して乾燥を促進することができる。【０００９】  また、前記取付機構は、前記ハンガー本体部に設けられた前記係止部をとおす平面視で凹部を有する穴部と、前記穴部にとおされる前記係止部に対して上下動しないように覆う回転可能な筒状体であって外面上端部には外側に凸状の第一のストッパー部が設けられ、かつ、外面下端部には外側に凸状の第二のストッパー部が設けられる筒状体とからなり、前記第一のストッパー部は、前記凹部を通過可能であり、かつ、前記筒状体の回転により前記凹部と対応しない位置では、前記係止部と前記フード掛け部との前記ハンガー本体部の下方に収まる位置から上方への移動を規制し、前記第二のストッパー部は、前記凹部を通過可能であり、かつ、前記筒状体の回転により前記凹部と対応しない位置では、前記係止部と前記フード掛け部との前記ハンガー本体部の上方に引き出された位置から下方への移動を規制することであってもよい。
このように構成することにより、通常形状のハンガーに近似した形状と、フード掛け部を使用する形状との切り替えおよびストッパーによる形状の保持が、僅かな回転操作による簡単な動作で容易に行うことができる。
【発明の効果】
【００１０】  本発明によれば、フード掛け部を有しながらも、通常のハンガーとしての取り扱いが容易であり、かつ、フード掛け部を使用可能な状態にするための操作が簡単なハンガーを提供することができる。
【図面の簡単な説明】
【００１１】
【図１】本発明の実施の形態に係るハンガーのフード掛け部を使用していない状態の斜視図である。
【図２】本発明の実施の形態に係るハンガーのフード掛け部を使用していない状態の側面図である。
【図３】本発明の実施の形態に係るハンガーのフード掛け部を使用している状態の斜視図である。
【図４】本発明の実施の形態に係るハンガーのフード掛け部を使用している状態の側面図である。
【図５】本発明の実施の形態に係るハンガーのストッパー機構を使用していない状態の図３の拡大図である。
【図６】本発明の実施の形態に係るハンガーのストッパー機構を使用している状態の図３の拡大図である。
【図７】本発明の実施の形態に係るハンガーのフード掛け部を使用していない状態の使用例の図である。
【図８】本発明の実施の形態に係るハンガーのフード掛け部を使用している状態の使用例の図である。
【発明を実施するための形態】
【００１２】  以下、本発明の実施の形態を図面を参照しつつ説明する。
まず、図１は、本実施形態に係るハンガーのフード掛け部を使用していない状態の斜視図である。また、図２は、本実施形態に係るハンガーのフード掛け部を使用していない状態の側面図である。
【００１３】  図１及び図２を参照すると、本実施形態のハンガー２０は、ハンガー本体部１と、フード掛け部２と、係止部３とから構成されている。各部材は、プラスチック等の軽い材質からなるが、木材・金属等の種々の材料が用いられてもよい。
【００１４】  ハンガー本体部１は、上辺、下辺、左右の斜辺からなる枠体であり、断面形状は一辺の長さ寸法が約１．５ｃｍの略正方形の矩形であり、枠体全体の高さ寸法は約１０ｃｍであり、幅寸法は約４０ｃｍである。上記のサイズであることから、ハンガー本体部１に関しては、通常のハンガーの形状と同様の寸法となっている。
また、ハンガー本体部１の上辺をなす枠体には、フード掛け部２及び係止部３がハンガー本体部１を基準として、上下方向に移動可能となるように、フード掛け部２のガイド溝４、係止部３を取り付けるためにとおす穴部５が設けられており、ハンガー本体部１の下辺は中間部がなく、フード掛け部２及び係止部３の移動を阻害しないよう開放されている。
【００１５】  フード掛け部２は、断面形状は一辺の長さ寸法が約１．５ｃｍの略正方形の矩形であり、高さ寸法約１７ｃｍであり、幅寸法は約２０ｃｍである。
フード掛け部２は、フード付きの衣類のフードを掛けるための台形形状部６と、係止部３と連動するための連結棒７とから構成されている。フード掛け部２の台形形状部６は、ハンガー本体１に沿うような形状であれば、どのような形状でも良い。また、連結棒７は必ずしも２本である必要はない。
【００１６】  係止部３は、略鉤型のフック部３１と、脚部３２と、フード掛け部２と連動するための連結部９とを備えている。ハンガー本体部１を物干し竿などの被係止体に係止させる係止部３の全体の高さ寸法は約３０ｃｍである。フック部３１および脚部３２の断面形状は直径が約２ｃｍの円形であり、略丸棒形状の連結部９は連結棒７に回動可能に組み合わせられる。
係止部３の脚部３２に対して上下動しないように、かつ、脚部３２を覆いながら回転動作が可能な円筒部８を設けている。円筒部８には、係止部３をハンガー本体１の上辺をなす枠体の上面部分、または下面部分で固定するために、外面上端部には外側に凸状の第一のストッパー機構１０が設けられ（図３も参照）、外面下端部には外側に凸状の第二のストッパー機構１０を設けている。ストッパー機構１０の詳細は後述する。
【００１７】  次に、図３は、本実施形態に係るハンガーのフード掛け部を使用している状態の斜視図である。また、図４は、本実施形態に係るハンガーのフード掛け部を使用している状態の側面図である。
【００１８】  図３及び図４を参照すると、フード掛け部２と係止部３とがハンガー本体部１の上方に引き出された状態において、フード掛け部２は、上部の自重とガイド枠の規制により係止部３に対して略３０度の角度で傾斜して位置している。なお、ここではフード掛け部２の使用時は、係止部３に対して傾斜を持っている構造となっているが、フード掛け部２は係止部３に対して垂直や平行となる構造でも良い。
【００１９】  図５は、本実施形態に係るハンガー２０のストッパー機構１０を使用していない状態での図３の拡大図である。また、図６は、本実施形態に係るハンガー２０のストッパー機構１０を使用している状態での図３の拡大図である。
【００２０】  図５及び図６を参照すると、図５のようにハンガー本体部１の平面視で凹部を有する穴部５に円筒部８の外面下端部の第二のストッパー機構１０の凸部を合わせて通過させ、その後、第二のストッパー機構１０が設けられている円筒部８を時計回り又は反時計回りに回転させることにより、第二のストッパー機構１０の凸部がハンガー本体部１の穴部５の凹部と対応しない位置にきて、図６のようになる。図６のようになることにより、フード掛け部２と係止部３とがハンガー本体部１の上方に引き出された位置から下方への移動が規制されることとなる。
また、同様に、ハンガー本体部１の平面視で凹部を有する穴部５に円筒部８の外面上端部の第一のストッパー機構１０の凸部を合わせて通過させ、その後、第一のストッパー機構１０が設けられている円筒部８を時計回り又は反時計回りに回転させることにより、第一のストッパー機構１０の凸部がハンガー本体部１の穴部５の凹部と対応しない位置にきて、フード掛け部２と係止部３とがハンガー本体部１の下方に収まる位置から上方への移動が規制されることとなる。
なお、ストッパー機構１０は四角形の形状で円筒部８より突出しているが、ハンガー本体部１の穴部５の凹部と合わせた形状であれば、どのような形状でも良い。
【００２１】  以下、本実施形態のハンガー２０の使用方法の一例を図７および図８を参照して説明する。ハンガー２０の係止部３のフック部３１により物干し竿などに係止させるものとする。
【００２２】  まず、図１および図２のような、ハンガー２０のフード掛け部２を使用していない状態、すなわち係止部３のフック部３１が下方に移動させられており係止部３の脚部３２がハンガー本体部１の下方に収まり、併せて連結部９で係止部３に連結されているフード掛け部２もハンガー本体部１の下方に収まる状態では、図７に示すように、フードが無い衣類を通常のハンガーと同様の感覚でハンガー本体部１に吊るして使用することができる。
フック部３１を下部に移動させることにより、フード掛け部２も下部に移動し、ハンガー本体１に沿い、収納され、通常形状のハンガーに近似した形状となるため、フード掛け部２を使用しない状態でも取り扱いが容易となる。
【００２３】  次に、図５を参照して上述したように、第二のストッパー機構１０が設けられている円筒部８を時計回り又は反時計回りに回転させることにより、ハンガー本体部１の平面視で凹部を有する穴部５に円筒部８の外面下端部の第二のストッパー機構１０の凸部を合わせて通過させ、その後、円筒部８を再度、時計回り又は反時計回りに回転させることにより、第二のストッパー機構１０の凸部をハンガー本体部１の穴部５の凹部と対応しない位置とし（図６参照）、フード掛け部２と係止部３とがハンガー本体部１の上方に引き出された位置から下方へ移動することが規制された状態とする。
【００２４】  そして、図３および図４のような、ハンガー２０のフード掛け部２を使用している状態、すなわち係止部３のフック部３１が上方に移動させられて係止部３の脚部３２がハンガー本体部１の上方に引き出され、併せて連結部９で係止部３に連結されているフード掛け部２もハンガー本体部１の上方に引き出され、フードを掛けることが可能な状態となり、図８に示すように、フード付きの衣類を、フード以外の部分は通常のハンガーと同様の感覚でハンガー本体部１に吊るしつつ、フードの部分はフード掛け部２に掛けて使用することができる。
また、フード掛け部２は、係止部３に対して略３０度の角度で傾斜して位置しているので、簡単にフード掛け部２にフードを掛けることができ、また、衣類の背中とフードとの空間を確保して乾燥を促進することができる。
【００２５】  さらに、第二のストッパー機構１０が設けられている円筒部８を時計回り又は反時計回りに回転させることにより、ハンガー本体部１の平面視で凹部を有する穴部５に円筒部８の外面上端部の第一のストッパー機構１０の凸部を合わせて通過させ、その後、円筒部８を再度、時計回り又は反時計回りに回転させることにより、第一のストッパー機構１０の凸部をハンガー本体部１の穴部５の凹部と対応しない位置とし、フード掛け部２と係止部３とがハンガー本体部１の下方に収まる位置から上方への移動が規制された状態、すなわち図１および図２のような、ハンガー２０のフード掛け部２を使用していない状態に戻すことができる。
したがって、通常形状のハンガーに近似した形状と、フード掛け部２を使用する形状との切り替えおよびストッパー機構１０による形状の保持が、円筒部８の僅かな回転操作による簡単な動作で容易に行うことができる。
【００２６】  上記の本実施の形態のハンガー２０によれば、フード掛け部２を有しながらも、通常のハンガーとしての取り扱いが容易であり、かつ、フード掛け部２を使用可能な状態にするための操作が簡単なハンガーを実現することができる。
【００２７】  その他、一々例示はしないが、本発明は、その趣旨を逸脱しない範囲内において、各構成部分の大きさや形状を含む種々の変更が加えられて実施されてよい。
【符号の説明】
【００２８】  １      ハンガー本体部
２      フード掛け部
３      係止部
３１    フック部
３２    脚部
４      ガイド溝
５      穴部
６      台形形状部
７      連結棒
８      円筒部
９      連結部
１０    ストッパー機構
２０    ハンガー
【図１】
2017164438.tif 000003
【図２】
2017164438.tif 000004
【図３】
2017164438.tif 000005
【図４】
2017164438.tif 000006
【図５】
2017164438.tif 000007
【図６】
2017164438.tif 000008
【図７】
2017164438.tif 000009
【図８】
2017164438.tif 000010
【手続補正書】
【提出日】平成28年10月21日(2016.10.21)
【手続補正１】
【補正対象書類名】明細書
【補正対象項目名】０００７
【補正方法】変更
【補正の内容】
【０００７】  本発明のハンガーは、ハンガー本体部と、前記ハンガー本体部を被係止体に係止させる係止部と、フード付きの衣類の前記フードを掛けるフード掛け部とを備え、前記係止部と前記フード掛け部とは連結部材で連結され、前記係止部は前記ハンガー本体部に対して取付機構で上下方向に移動可能に取り付けられ、前記係止部は、係止部と脚部とを備え、前記係止部を上方に移動させると前記脚部が前記ハンガー本体部の上方に引き出され、併せて前記連結部材で連結されている前記フード掛け部も前記ハンガー本体部の上方に引き出され、前記フードを掛けることが可能となり、前記係止部を下方に移動させると前記脚部が前記ハンガー本体部の下方に収まり、併せて前記連結部材で連結されている前記フード掛け部も前記ハンガー本体部の下方に収まるハンガーであって、前記取付機構は、前記ハンガー本体部に設けられた前記係止部をとおす平面視で凹部を有する穴部と、前記穴部にとおされる前記係止部に対して上下動しないように覆う回転可能な筒状体であって外面上端部には外側に凸状の第一のストッパー部が設けられ、かつ、外面下端部には外側に凸状の第二のストッパー部が設けられる筒状体とからなり、前記第一のストッパー部は、前記凹部を通過可能であり、かつ、前記筒状体の回転により前記凹部と対応しない位置では、前記係止部と前記フード掛け部との前記ハンガー本体部の下方に収まる位置から上方への移動を規制し、前記第二のストッパー部は、前記凹部を通過可能であり、かつ、前記筒状体の回転により前記凹部と対応しない位置では、前記係止部と前記フード掛け部との前記ハンガー本体部の上方に引き出された位置から下方への移動を規制する。
このように構成することにより、本体に沿う形状のフード掛け部を有し、フード掛け部は上下に移動可能であり、ハンガー本体を壁面等に吊るすためのフックと連動しており、フックを本体より上部に移動させることにより、ハンガー本体とフックとの間にフードを掛けることのできる空間を得るとともに、フード掛け部に衣類のフードを掛けることができるようになる。加えて、フックを下部に移動させることにより、フード掛け部も下部に移動し、ハンガー本体に沿い、収納され、通常形状のハンガーに近似した形状となるため、フード掛け部を使用しない状態でも取り扱いが容易となる。
また、通常形状のハンガーに近似した形状と、フード掛け部を使用する形状との切り替えおよびストッパーによる形状の保持が、僅かな回転操作による簡単な動作で容易に行うことができる。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
ハンガー本体部と、
前記ハンガー本体部を被係止体に係止させる係止部と、
フード付きの衣類の前記フードを掛けるフード掛け部と
を備え、
前記係止部と前記フード掛け部とは連結部材で連結され、
前記係止部は前記ハンガー本体部に対して取付機構で上下方向に移動可能に取り付けられ、
前記係止部は、フック部と脚部とを備え、
前記フック部を上方に移動させると前記脚部が前記ハンガー本体部の上方に引き出され、併せて前記連結部材で連結されている前記フード掛け部も前記ハンガー本体部の上方に引き出され、前記フードを掛けることが可能となり、
前記フック部を下方に移動させると前記脚部が前記ハンガー本体部の下方に収まり、併せて前記連結部材で連結されている前記フード掛け部も前記ハンガー本体部の下方に収まるハンガーであって、
前記取付機構は、前記ハンガー本体部に設けられた前記係止部をとおす平面視で凹部を有する穴部と、前記穴部にとおされる前記係止部に対して上下動しないように覆う回転可能な筒状体であって外面上端部には外側に凸状の第一のストッパー部が設けられ、かつ、外面下端部には外側に凸状の第二のストッパー部が設けられる筒状体とからなり、
前記第一のストッパー部は、前記凹部を通過可能であり、かつ、前記筒状体の回転により前記凹部と対応しない位置では、前記係止部と前記フード掛け部との前記ハンガー本体部の下方に収まる位置から上方への移動を規制し、
前記第二のストッパー部は、前記凹部を通過可能であり、かつ、前記筒状体の回転により前記凹部と対応しない位置では、前記係止部と前記フード掛け部との前記ハンガー本体部の上方に引き出された位置から下方への移動を規制するハンガー。